(57)【要約】【課題】電気工事に際して必要な架空配電線などの電線に対するアース線の接続作業を、工事現場の近くで行なうことができるようにすること。【解決手段】電線、例えば架空配電線５を接続するジャンパースリーブを覆うようにジャンパー線３２に装着される筒状のカバー基体１１１に、内部に収納するジャンパースリーブを露出させる接地作業窓を形成し、この接地作業窓をスライド蓋１３１のスライド移動によって開閉できるようにしておき、電気工事に際して架空配電線５などに対してアース線を接続する場合には、絶縁操作棒に設けた把持具に接続するアース線の一端を接地した上で、スライド蓋１３１をスライド移動させて接地作業窓からジャンパースリーブを露出させ、露出したジャンパースリーブを把持具で把持するようにした。【選択図】図１
2013162734.tif 000002
【特許請求の範囲】
【請求項１】
電線を接続するジャンパースリーブを覆う形態でジャンパー線に装着される筒状のカバー基体と、
前記カバー基体に形成された開口であって、前記カバー基体が覆う前記ジャンパースリーブを、絶縁操作棒に設けたアース線付きの把持具によって把持可能な状態で露出させる接地作業窓と、
前記カバー基体にその軸方向に沿ってスライド移動自在に取り付けられて、前記接地作業窓を開閉するスライド蓋と、
前記カバー基体と前記スライド蓋との間の摩擦抵抗によって前記スライド蓋の自由なスライド移動を抑制する抑制手段と、
を備えることを特徴とするジャンパースリーブカバー。
【請求項２】
前記スライド蓋に設けられ、前記把持具によって把持可能な形状を有する前記把手を、更に備えることを特徴とする請求項１に記載のジャンパースリーブカバー。
【請求項３】
前記カバー基体は、前記接地作業窓を覆う閉鎖位置に向けてスライド移動する前記スライド蓋の一端部を迎え入れ、前記閉鎖位置で前記スライド蓋の一端部を密閉的に収納するポケットを備えている、ことを特徴とする請求項１又は２に記載のジャンパースリーブカバー。
【請求項４】
前記カバー基体は、弾性変形可能な材料によって形成され、その軸方向の全長に渡る切込を有してこの切込みの部分が前記電線を通すことができるように接離自在に形成されており、
前記スライド蓋は、前記電線を通す開口部を備え、
前記カバー基体と前記スライド蓋とは、前記カバー基体の一端側から前記スライド蓋をスライド移動させることによってこのスライド蓋の装着が可能な形状に形成されている、
ことを特徴とする請求項１ないし３のいずれか一に記載にジャンパースリーブカバー。
【請求項５】
絶縁操作棒に設けた把持具に接続されている前記アース線を接地する工程と、
電線を接続するジャンパースリーブを覆う形態でジャンパー線に装着された筒状のカバー基体にその軸方向に沿ってスライド移動自在に取り付けられたスライド蓋をスライド移動させ、前記カバー基体との間の摩擦抵抗によって前記スライド蓋を移動後の位置に位置保持し、前記カバー基体に形成された開口であって、前記カバー基体が覆う前記ジャンパースリーブを前記把持具によって把持可能な状態で露出させる接地作業窓を開く工程と、
前記接地作業窓から露出した前記ジャンパースリーブを、前記把持具で把持する工程と、
を備えることを特徴とする電線に対するアース線の接続方法。
【請求項６】
前記スライド蓋に設けられて前記把持具によって把持可能な形状を有する前記把手を、前記把持具で把持した状態の前記絶縁操作棒を用いて前記スライド蓋をスライド移動させる、ことを特徴とする請求項５に記載のアース線の接続方法。
【請求項７】
前記ジャンパースリーブに対する前記把持具の把持を解除する工程と、
前記スライド蓋をスライド移動させて、前記スライド蓋によって前記接地作業窓を再び閉じる工程と、
を備えることを特徴とする請求項５又は６に記載のアース線の接続方法。
【発明の詳細な説明】
【技術分野】
【０００１】
本発明は、架空配電線などの電線と電線とを接続するジャンパー線に設けられたジャンパースリーブを覆うジャンパースリーブカバー及びこれを用いた電線に対するアース線の接続方法に関する。
【背景技術】
【０００２】
電気工事をする場合、安全性確保の観点から、架空送電線や架空配電線を接地する必要がある。鉄塔間に掛け渡される架空送電線の場合には、二本の架空送電線を接続するジャンパー線にアース線を接続することよって接地を行なうことができる。この作業は、例えば特許文献１の「従来の技術」に記載されているように、先端部にアース線付きの把持具を備える絶縁作業棒（特許文献１では、アースフック棒）を用意し、絶縁作業棒での操作によって把持具でジャンパー線を把持することによって行なう。
【０００３】
その一方で、市街地や農村部などに張り巡らせた架空配電線は、高圧の架空送電線の場合と些か事情が異なる。架空配電線は、架空送電線に比べて低所に架空されているし、何より、人々の身近に存在する。人々の手が届き易いわけである。例えば、台風などの自然災害やクレーン車が引っ掛かるなどの人災によって架空配電線が断線し、道端に垂れ下がってしまうという事故は、毎年、何処かしらで発生している。子供や酔っ払いが電柱によじ登り、架空配電線に直接手を触れたりする可能性も、十分に考慮しなければならない。架空配電線には、より厳格な感電防止対策が求められるわけである。実際、どの電力事業者も、架空配電線に対して厳重な感電防止対策を施している。その最たるものは、架空配電線を被覆付き電線とすることである。同様の趣旨から、ジャンパー線についても、被覆付き電線としている。ジャンパー線については、二本のジャンパー線をジャンパースリーブで導通接続するようなことも広く行なわれているが、この場合には、ジャンパースリーブをカバーで覆い、感電事故などの防止を図っている。
【０００４】
以上見てきたように、架空配電線やそのジャンパー線は、基本的には被覆電線であり、裸電路部分が極めて少ない。したがって、電気工事をする場合、特許文献１の「従来の技術」に記載されているような接地手法を採用することはできない。そこで、従来、架空配電線を接地するために、どのような方策を採用しているのかというと、アース線を接続するための接地器具の配備である。その一例を図１０に示す。
【０００５】
図１０中、１は電柱であり、電柱１にはベルト２によって腕金３が固定されている。腕金３は、ピン碍子４を介して架空配電線５を支持している。架空配電線５は、作業用のアース線１１を接続するための接地器具６を備えている。接地器具６は、アース線１１の一端側に固定された接地端子１２をねじ止めすることができる構造を備え、ねじ止めされた接地端子１２を架空配電線５に導通させる。そこで、アース線１１の別の一端側に設けた接地部（図示せず）を接地した上で、一端側に設けた接地端子１２を接地器具６に接続すれば、架空配電線５を接地することが可能となる。
【先行技術文献】
【特許文献】
【０００６】
【特許文献１】登録実用新案第２５１０５９７号公報
【発明の概要】
【発明が解決しようとする課題】
【０００７】
市街地や農村部などで電気工事をするに際して、工事現場の近くに接地器具が配備されているとは限らない。場所によっては、山や河川などの障害物を隔てた反対側に行かなければ、架空配電線に接地器具が配備されていないようなことも稀ではない。このような場合には、自動車などで接地器具が配置されている場所まで出向いてこれに作業用のアース線を接続するか、あるいは裸電線区間を見つけてアース線を接続しなければならず、極めて煩雑である。
【０００８】
本発明は、このような点に鑑みなされたもので、電気工事に際して必要な架空配電線などの電線に対するアース線の接続作業を、工事現場の近くで行なうことができるようにすることを目的とする。
【課題を解決するための手段】
【０００９】
本発明のジャンパースリーブカバーは、電線を接続するジャンパースリーブを覆う形態でジャンパー線に装着される筒状のカバー基体と、前記カバー基体に形成された開口であって、前記カバー基体が覆う前記ジャンパースリーブを、絶縁操作棒に設けたアース線付きの把持具によって把持可能な状態で露出させる接地作業窓と、前記カバー基体にその軸方向に沿ってスライド移動自在に取り付けられて、前記接地作業窓を開閉するスライド蓋と、前記カバー基体と前記スライド蓋との間の摩擦抵抗によって前記スライド蓋の自由なスライド移動を抑制する抑制手段と、を備えることによって上記課題を解決した。
【００１０】
本発明の電線に対するアース線の接続方法は、絶縁操作棒に設けた把持具に接続されている前記アース線を接地する工程と、電線を接続するジャンパースリーブを覆う形態でジャンパー線に装着された筒状のカバー基体にその軸方向に沿ってスライド移動自在に取り付けられたスライド蓋をスライド移動させ、前記カバー基体との間の摩擦抵抗によって前記スライド蓋を移動後の位置に位置保持し、前記カバー基体に形成された開口であって、前記カバー基体が覆う前記ジャンパースリーブを前記把持具によって把持可能な状態で露出させる接地作業窓を開く工程と、前記接地作業窓から露出した前記ジャンパースリーブを、前記把持具で把持する工程と、を備えることによって上記課題を解決した。
【発明の効果】
【００１１】
本発明によれば、電気工事に際して電線、例えば架空配電線などにアース線を接続するに場合、スライド蓋を開いて露出させたジャンパースリーブをアース線付きの把持具で把持することで、架空配電線が張り巡らされている場所では比較的数多く存在するジャンパースリーブ及びジャンパー線を介して架空配電線などの電線にアース線を接続することができ、したがって、電気工事に際して必要な架空配電線などに対するアース線の接続作業を、工事現場の近くで行なうことができる。
【図面の簡単な説明】
【００１２】
【図１】実施の一形態として、ジャンパースリーブに本実施の形態のジャンパースリーブカバーを装着した状態を示す斜視図。
【図２】第１の実施の形態を示す、ジャンパースリーブカバーの分解正面図。
【図３】（ａ）は図２中のＡ−Ａ線断面図、（ｂ）は図２中のＢ−Ｂ線断面図。
【図４】ジャンパースリーブカバーの正面図。
【図５】スライド蓋を開いた状態を示すジャンパースリーブカバーの正面図。
【図６】第２の実施の形態を示す、ジャンパースリーブカバーの正面図。
【図７】スライド蓋を開いた状態を示すジャンパースリーブカバーの正面図。
【図８】ジャンパースリーブカバーの分解縦断正面図。
【図９】（ａ）は図８中のＡ−Ａ線断面図、（ｂ）は図８中のＢ−Ｂ線断面図。
【図１０】従来の一例として、接地器具にアース線を装着した状態を示す斜視図。
【発明を実施するための形態】
【００１３】
≪本実施の形態のジャンパースリーブカバーの適用例≫
図１は、ジャンパースリーブ（図示しない）に本実施の形態のジャンパースリーブカバー１０１を装着した状態を示す斜視図である。図１に示すように、電柱１には、ベルト２によって二本の腕金３が固定されている。これらの二本の腕金３のそれぞれには、耐張碍子３１を介して電線としての二組の架空配電線５（５（ａ）、５（ｂ））が支持されている。これらの二組の架空配電線５（５（ａ）、５（ｂ））は、それぞれ、ジャンパー線３２を介して接続されている。ジャンパー線３２は、一方の組の架空配電線５ａに接続されたジャンパー線３２（ａ）と、もう一方の組の架空配電線５ｂに接続されたジャンパー線３２（ｂ）とに分離されており、互いにジャンパースリーブ（図示せず）で導通接続されている。図１中、ジャンパースリーブを覆っているのが、本実施の形態のジャンパースリーブカバー１０１である。
【００１４】
≪第一の実施の形態≫
第一の実施の形態を図１ないし図５に基づいて説明する。
【００１５】
図２に示すように、ジャンパースリーブカバー１０１は、カバー基体１１１とスライド蓋１３１とが組み合わさって形成されている。カバー基体１１１は、図示しないジャンパースリーブを覆う形態でジャンパー線３２に装着される円筒形状をしており、その両端にホーン部１１２を有している。ホーン部１１２は、ジャンパー線３２の直径と略同一径までカバー基体１１１の内径を絞り込む形状のもので、ジャンパー線３２に対するジャンパースリーブカバー１０１の密着性を確保する。
【００１６】
カバー基体１１１は、その中央部分に接地作業窓１１３を有している。接地作業窓１１３は、カバー基体１１１に形成された開口であって、カバー基体１１１が覆い収納するジャンパースリーブを露出させる。ここで重要なことは、接地作業窓１１３によるジャンパースリーブの露出状態である。接地作業窓１１３は、絶縁操作棒に設けたアース線付きの把持具（図示せず）によって把持可能な状態でジャンパースリーブを露出させるように、その形状及び大きさが定められて形成されている。つまり、図３（ａ）に示すように、接地作業窓１１３は、カバー基体１１１を側面から見て、仮想円周上で半円を超える領域まで回りこんだ形状及び大きさに形成されている。こうすることで、カバー基体１１１に収納されたジャンパースリーブは、その大部分が、接地作業窓１１３から露出することになる。
【００１７】
前述した絶縁操作棒に設けたアース線付きの把持具（図示せず）は、例えばアース線付きのフックである。絶縁作業棒は、周知のように、その先端に各種のアダプタを着脱自在に装着することができ、後端側の操作でアダプタを操作することができる。このようなアダプタとして用いられるものの一つに、アース線付きのフックがある。これは、近接離反自在に設けた一対の把持アームを、絶縁操作棒の後端側の操作、例えば回転操作によって近接離反させ、一対の把持アームによって対象物を把持できるようにしたものである。フックの形状としては、各種の形状のものがあるが、概ね、カバー基体１１１を側面から見て、仮想円周上で半円を超える領域まで回りこんで形成された接地作業窓１１３から露出しているジャンパースリーブであれば、十分に把持可能である。このようなアース線付きフックのもう一つ重要な属性は、フック部分が金属製で、金属部分にアース線が接続されているということである。アース線の端部を、例えば地中に埋め込むなどして接地しておけば、フックで対象物を把持することで、この対象物を接地することができるわけである。以上説明した「絶縁操作棒に設けたアース線付きの把持具」は、電力事業者や電気工事業者などの当業者であれば、馴染みが深い周知の器具であるので、これ以上の説明は省略する。
【００１８】
スライド蓋１３１は、カバー基体１１１の外周面にスライド移動自在に取り付けられている。スライド移動方向は、カバー基体１１１の軸方向である。スライド蓋１３１は、接地作業窓１１３の長さよりも長く形成されており、したがって、そのスライド移動動作に応じて接地作業窓１１３を開閉する（図２参照）。図３（ｂ）に示すように、スライド蓋１３１は、側面から見て、仮想円周上で半円を超える領域まで回りこんだ形状に形成されている。これにより、カバー基体１１１に嵌り合った状態で保持されている。
【００１９】
カバー基体１１１は、その外周面の一部に、一対の凸部１１４を備えている。スライド蓋１３１は、その内周面の一部に、凸部１１４が嵌り込む一対の凹溝１３２を備えている。これらの凸部１１４と凹溝１３２とは、カバー基体１１１の軸方向、つまり、スライド蓋１３１のスライド移動方向に沿って長く形成されている。したがって、凸部１１４と凹溝１３２とは回り止め構造をなし、スライド蓋１３１は、カバー基体１１１に対して回り止めされた状態でスライド移動することになる。
【００２０】
スライド蓋１３１は、その外周面の中央部分付近に、把手１３３を備えている。把手１３３は、前述の絶縁操作棒に設けたアース線付きの把持具（図示せず）によって把持可能な、アーチ形状を有している（図３（ｂ）参照）。
【００２１】
カバー基体１１１とスライド蓋１３１とには、既設のジャンパー線３２に対して、後付けで装着できるようにした工夫が凝らされている。カバー基体１１１に形成した切込１１５、それに、スライド蓋１３１に設けた開口部１３４である。
【００２２】
カバー基体１１１は、接地作業窓１１３を備えている側に、切込１１５を形成している（図３（ａ）参照）。切込１１５は、カバー基体１１１の全長に渡る長さに形成され、両端に位置するホーン部１１２の端部にまで達している。したがって、カバー基体１１１は、切込１１５の部分において開き、その弾性復原力によって元の形状に復元する。このようなカバー基体１１１の開閉動作を支援するために、カバー基体１１１は、一例として、誘電性を有するゴムを材料として形成されている。そこで、切込１１５の部分においてカバー基体１１１を開き、この開いた部分に既設のジャンパー線３２を入り込ませるようにすれば、ジャンパー線３２にカバー基体１１１を装着することができる。
【００２３】
スライド蓋１３１は、前述した通り、側面から見て、仮想円周上で半円を超える領域まで回りこんだ形状に形成されている。ということは、スライド蓋１３１は、その形状上、本来的に、開口部１３４を形成していることになる（図３（ｂ）参照）。スライド蓋１３１は、開口部１３４に既設のジャンパー線３２を入り込ませるようにした上で、ジャンパー線３２に装着済みのカバー基体１１１に向けて、その一端側からスライド移動させるようにすれば、カバー基体１１１に装着することができるわけである。このようなスライド蓋１３１は、カバー基体１１１がその切込１１５から不意に開いてしまうことを抑制するために、カバー基体１１１よりも形状保持性に優れた材料、例えば誘電性を有する硬質プラスチックによって形成されていることが望ましい。
【００２４】
更に、カバー基体１１１とスライド蓋１３１とは、互いの外径と内径とを一対させるか、あるいは、カバー基体１１１の外径よりもスライド蓋１３１の内径の方を僅かに小さくして形成されている。その結果、カバー基体１１１とスライド蓋１３１との間の摩擦抵抗によって、スライド蓋１３１の自由なスライド移動を抑制することができる（抑制手段）。スライド蓋１３１の自由なスライド移動の抑制は、接地作業窓１１３を閉じた状態と開いた状態とにスライド蓋１３１を位置保持する上で、極めて重要である。
【００２５】
このような構成において、ジャンパースリーブカバー１０１は、通常時、接地作業窓１１３をスライド蓋１３１によって閉じておく（図４参照）。これに対して、電気工事をするに際して、架空配電線５の接地が必要になった場合には、スライド蓋１３１をスライド移動させ、接地作業窓１１３を開く。以下、このような架空配電線５の接地作業について説明する。
【００２６】
まず、作業者は、アース線付きの把持具を先端に取り付けた絶縁作業棒（図示せず）を用意する。アース線については、予め、その端部を接地しておく。接地は、一例として、アース線の端部を地中に埋めることによって行なわれる。別の一例として、電柱１に設けた接地用の端子（図示せず）にアース線の端部を接続することによって、接地を行なうようにしても良い。
【００２７】
次に、作業者は、アース線付きの把持具でスライド蓋１３１の把手１３３を掴み、スライド蓋１３１をスライド移動させる。接地作業窓１１３を開く方向に向けてである。こうすることで、接地作業窓１１３が開き、カバー基体１１１が覆って収納しているジャンパースリーブ（図示せず）を露出させることができる。
【００２８】
次に、作業者は、絶縁作業棒の先端部に取り付けた把持具で、露出したジャンパースリーブを把持する。こうすることで、ジャンパースリーブ及びジャンパー線３２を介して架空配電線５にアース線を接続することができる。この状態で、架空配電線５は接地されるので、作業者は、安心して電気工事を行なうことができる。
【００２９】
電気工事が完了した場合、作業者は、ジャンパースリーブから把持具を取り外し、ジャンパースリーブに対する把持具の把持を解除する。そして、絶縁作業棒の先端部に取り付けた把持具でスライド蓋１３１の把手１３３を掴み、スライド蓋１３１をスライド移動させて、接地作業窓１１３を再び閉じる。こうすることで、ジャンパースリーブカバー１０１は、ジャンパースリーブを完全に覆う元の通常状態に復帰し、安全性を確保することが可能となる。
【００３０】
以上説明したように、本実施の形態によれば、架空配電線５が張り巡らされている場所では比較的数多く存在するジャンパースリーブを利用して架空配電線５にアース線を接続することができる。したがって、電気工事に際して必要な架空配電線５に対するアース線の接続作業を、工事現場の近くで行なうことができる。
【００３１】
本実施の形態は、また、絶縁作業棒の先端に取り付けたアース線付きの把持具で把持できる把手１３３をスライド蓋１３１に設け、その把持具で把手１３３を把持してスライド蓋１３１をスライド移動させることができるようにした。これにより、スライド蓋１３１を開くための作業に必要な器具と、ジャンパースリーブを把持して接地するための作業に必要な器具とを共通化することができる。その結果、器具の運搬作業や接地作業そのものについて、作業負担の軽減を図ることができる。
【００３２】
本実施の形態は、更に、既設のジャンパー線３２に対して、後付けで装着できるようにした工夫（切込１１５及び開口部１３４）を凝らしている。これにより、既設のジャンパー線３２に対しても、後付けでジャンパースリーブカバー１０１を装着することができる。
【００３３】
≪第二の実施の形態≫
第二の実施の形態を図６ないし図９に基づいて説明する。第一の実施の形態と同一部分は同一符号で示し、説明も省略する。
【００３４】
本実施の形態は、カバー基体１１１に、スライド蓋１３１の一端部を密閉的に収納するポケット１２２を設けたものである。そのための構造として、カバー基体１１１は、ポケット１２２を形成する側の一端を他の部分よりも大径に形成し、第１の大径部１２１としている。スライド蓋１３１も、ポケット１２２に収納される側を大径に形成し、第２の大径部１４１としている。図８を参照されたい。
【００３５】
第１の大径部１２１は、接地作業窓１１３に面する側を入口としてポケット１２２を形成している（図８、図９（ａ）参照）。ポケット１２２は、スライド蓋１３１に形成した第２の大径部１４１の曲率に合わせた曲率を有する円弧形状に形成された、第２の大径部１４１の先端部分を挿入可能な溝である。
【００３６】
第２の大径部１４１は、ポケット１２２に収納される部分を挿入部１４２とし、この部分を、内周側が削り取られたかのような肉薄形状に形成している（図８、図９（ｂ）参照）。第２の大径部１４１は、また、挿入部１４２の外周側を、先細りとなる形状の傾斜面に形成している。
【００３７】
ポケット１２２と挿入部１４２とは、互いに一致した形状に形成されている。但し、ポケット１２２の入口において、カバー基体１１１の軸心に近い方の縁部は、傾斜面１２３となっている。スライド蓋１３１のスライド移動に伴い、その一端部に形成された挿入部１４２の挿入を円滑にするためである。
【００３８】
このような構成において、接地作業窓１１３が開いた状態で、接地作業窓１１３を閉じる方向にスライド蓋１３１がスライド移動すると、この動作に伴って、スライド蓋１３１の一端部に形成された挿入部１４２がポケット１２２に挿入され、最終的にポケット１２２に収納される。これにより、少なくともポケット１２２に挿入部１４２が収納される側においては、カバー基体１１１とスライド蓋１３１との間の密着性が増し、隙間からの雨水の浸入を確実に防止することができる。
【００３９】
≪変形例≫
第一の実施の形態及び第二の実施の形態とも、実施に際しては、各種の変形や変更が可能である。例えば、カバー基体１１１は、筒状であれば良く、円筒形状に限らず、多角柱形状や断面楕円形状であっても良い。この場合、云うまでもなく、スライド蓋１３１はカバー基体１１１の外形形状に適合する形状に形成される。カバー基体１１１をこのような円筒形状以外の形状にした場合、自ずとスライド蓋１３１の回り止めがなされるので、凸部１１４と凹溝１３２とによる回り止め構造を不要とすることができる。
【００４０】
カバー基体１１１及びスライド蓋１３１の材質に関しても、誘電性を有していれば、必ずしも、例示したゴム製及び硬質プラスチック製である必要はない。カバー基体１１１について云えば、既設のジャンパー線３２に対する装着が可能である程度の弾性変形をしつつ、元の形状に復元する復原力を生じさせる材料であれば、各種の材料を用いることができる。あるいは、既設のジャンパー線３２に後付けで装着するという利便性を求めないならば、そもそも復元可能な弾性変形という条件すら必要でなくなり、材料の選択肢が拡がる。この場合、カバー基体１１１に切込１１５を設けることも、スライド蓋１３１に開口部１３４を設けることも、いずれも不要となる。一方のスライド蓋１３１に関しては、そもそも、弾性変形という条件が求められないので、より材料の選択肢が広い。
【００４１】
把手１３３も、絶縁作業棒に設けた把持具で把持できる形状であれば、必ずしもアーチ形状である必要はなく、例えば、突起形状などであっても良い。あるいは、把持具で把持できるという利便性を求めないならば、把持具で把持できる形状であることすら、必須ではない。
【符号の説明】
【００４２】
５  架空配電線（電線）
３２  ジャンパー線
１１１  カバー基体
１１３  接地作業窓
１１５  切込
１３１  スライド蓋
１３３  把手
１３４  開口部
１２２  ポケット
【図１】
2013162734.tif 000003
【図２】
2013162734.tif 000004
【図３】
2013162734.tif 000005
【図４】
2013162734.tif 000006
【図５】
2013162734.tif 000007
【図６】
2013162734.tif 000008
【図７】
2013162734.tif 000009
【図８】
2013162734.tif 000010
【図９】
2013162734.tif 000011
【図１０】
2013162734.tif 000012